(57)【要約】【課題】遭難や水面汚染などの緊急時に、航空機や船舶などから現場海域に投入するだけで自動的に表示灯回路を形成する、個人装備品としても使用可能、シンプル、軽量、安価、しかも高性能な水中自動作動表示灯スイッチを提供する。【解決手段】本発明にかかる水中自動作動表示灯スイッチは、膨脹手段(1)が高圧ガスを充填したカートリッジ(2)と、開封装置(3)を有している。該開封装置は不動部(4)と水センサー(5)の機能時にバネ(6)で作動する変位部(7)があり、該不動部と該変位部は各別に、変位発生時に互いに接触する、不動端子(S1)と変位端子(S2)を備えている。該不動端子と該変位端子は電源(8)を備えた表示灯(9)の回路(10)に介在している。該開封装置が水に浸かると該水センサーがそれを感知し、該バネの作用により作動して該カートリッジが開封し、高圧ガスが該カートリッジから噴出する。また該不動端子と該変位端子が接触し電流が流れ該表示灯が点灯する。【選択図】        図１
2004203273.tif 000002
【特許請求の範囲】
【請求項１】
膨脹手段(1)は高圧ガスを充填したカートリッジ(2)と、開封装置(3)を有しており、
該開封装置(3)は不動部(4)と水センサー(5)の機能時にバネ(6)で作動する変位部(7)があり、該不動部(4)と該変位部(7)は各別に、変位発生時に互いに接触する、不動端子(S1)と変位端子(S2)を備えており、
該不動端子(S1)と該変位端子(S2)は電源(8)を備えた表示灯(9)の回路(10)に介在している
ことを特徴とする水中自動作動表示灯スイッチ。
【請求項２】
該水センサー(5)は水分吸収材で構成され、水分の吸収により保形性を失って該バネ(6)の抑止を解くようになっている請求項１に記載の水中自動作動表示灯スイッチ。
【請求項３】
該不動部(4)は本体(21)で、該変位部(7)は、それぞれ該本体(21)内にあって、所定位置で往復動自在の該カートリッジ開封用の穿針(22)、枢軸(23)で揺動自在に支持され一端で該穿針(22)と連繋されたレバー(24)、通常は該バネ(6)の付勢下に該水センサー(5)で抑止され該水センサー(5)の機能時に移動して該レバー(24)を揺動させる押し棒(25)から選ばれた一つである請求項１又は２に記載の水中自動作動表示灯スイッチ。
【請求項４】
該表示灯(9)は発光ダイオードである請求項１に記載の水中自動作動表示灯スイッチ。
【請求項５】
該レバー(24)は他端に該変位端子(S2)を備え、該本体(21)は該変位端子(S2)の移動通路と直交する面上に該不動端子(S1)を備えている請求項３に記載の水中自動作動表示灯スイッチ。
【請求項６】
該押し棒(25)は該水センサー(5)の透孔(26)と同一軸線上にあり、該透孔(26)の内径より大きい大径部(27)で該透孔(26)の通過を阻止されている請求項３に記載の水中自動作動表示灯スイッチ。
【請求項７】
該表示灯(9)、電源(8)及び膨脹手段(1)は気嚢(31)用で、該気嚢(31)は該膨脹手段(1)の取付部(32)と、該膨脹手段(1)の流出口(11)と導結される流入口(12)と、脱気弁(33)を備えている請求項１に記載の水中自動作動表示灯スイッチ。
【請求項８】
該穿針(22)の端部は該本体(21)に軸(34)で支持された手動レバー(35)の操作部(36)の揺動通路上に臨出している請求項３に記載の水中自動作動表示灯スイッチ。
【発明の詳細な説明】
【０００１】
【発明の属する技術分野】
本発明は水中自動作動表示灯スイッチに関する。
【０００２】
【従来の技術】
海難、救難、海上汚染などの災害時に用いられる、救命胴衣、救難ブイ、オイルフェンスなどは水面に浮かせ、これらの災害から防御する。この時、昼夜を問わず位置確認が重要であり、落水者の場合は、救難側への情報と、船舶が突っ込んでの二次災害などの問題があり、灯火などの表示灯を必要とし、陸上、船舶上などでの保管中から、非常時水中投入時からの作動開始することの性能構造が望まれる。これらに使用される信号用表示灯は電池と表示灯から構成されており、大半が予め電源のスイッチを入れ、点灯させて水面などに投入される。あるいは、海水電池など海水で起動させるものも存在している。なお、海水電池式は海外製品が多く、予めセンサー部を露出させる必要がある。
また、国土交通省型式承認による”救命胴衣灯”はリチウム電池を用いたもので、水深１０ｍ防水型として普及している。
【０００３】
【発明が解決しようとする課題】
予め電源のスイッチを入れ、電球を点灯させて水面などに投入されるものは、投入時の衝撃で電球が断線したり、また消費電力が大きいため長時間の点灯が不可能であったりする。従来の海水電池も高価であり、遭難などの個人装備品としては不適である。
本発明は、遭難や水面汚染などの緊急時に、航空機や船舶などから現場海域に投入するだけで自動的に表示灯回路を形成する、個人装備品としても使用可能、シンプル、軽量、安価、しかも高性能な水中自動作動表示灯スイッチを提供することを目的とする。
【０００４】
【課題を解決するための手段】
本発明にかかる水中自動作動表示灯スイッチは、膨脹手段が高圧ガスを充填したカートリッジと、開封装置を有している。該開封装置は不動部と水センサーの機能時にバネで作動する変位部があり、該不動部と該変位部は各別に、変位発生時に互いに接触する、不動端子と変位端子を備えている。そして、該不動端子と該変位端子は電源を備えた表示灯回路に介在している。
この高圧ガスのカートリッジは水センサーで起動する型式の開封装置に取付けられる。この開封装置は水に浸かると水センサーがそれを感知し、バネの作用により開封装置が作動してカートリッジが開封し、高圧ガスがカートリッジから噴出するようになっている。同時に不動端子と変位端子が接触するので表示灯の回路が形成され、電源から電流が流れて表示灯が点灯し、その位置表示をする。
【０００５】
該水センサーは水分吸収材で構成され、水分の吸収により保形性を失って該バネの抑止を解くようになっていてもよい。
この場合、開封装置を水面に投下すると自重で水中に没し、水が開封装置内に浸入するので、水センサーが直ちに水分を吸収して保形性を失い、バネの作用により開封装置が起動する。
【０００６】
該不動部は本体で、該変位部は、それぞれ該本体内にあって、所定位置で往復動自在の該カートリッジ開封用の穿針、枢軸で揺動自在に支持され一端で該穿針と連繋されたレバー、通常は該バネの付勢下に該水センサーで抑止され該水センサーの機能時に移動して該レバーを揺動させる押し棒から選ばれた一つであってもよい。
この場合、変位部としては穿針、レバー、押し棒から選ぶことができ、変位端子の設置の設計がし易い。また、水センサーが保形性を失うとバネの力に抗せず押し棒の通過を許し、押し棒がレバーを揺動し、穿針を移動させて該カートリッジを開封できる。不動及び変位の両端子同志も接触して、表示灯を点灯する。
【０００７】
該表示灯は発光ダイオードであってもよい。
この場合、電線切れが起こらないので交換が不要で、少ない電気量で発光させられるので限られた電池でも長時間の点灯が可能となる。
【０００８】
該レバーは他端に該変位端子を備え、該本体は該変位端子の移動通路と直交する面上に該不動端子を備えていてもよい。
この場合、変位端子と不動端子は対面状態となり、面間距離の変化で接触することになるので、確実な接触が可能となる。
【０００９】
該押し棒は該水センサーの透孔と同一軸線上にあり、該透孔の内径より大きい大径部で該透孔の通過を阻止されていてもよい。
この場合、開封装置の不使用時は該水センサーが押し棒を確実に所定位置に抑止してカートリッジの不慮の開封を防止し、供用時の水センサーの変形に際しては、該透孔が該押し棒の不完全ではあるがガイドになるので、押し棒が勝手な方向へ移動したりせず、該不動及び変位端子の確実な接触を果す。
【００１０】
該表示灯、電源及び膨脹手段は気嚢用で、該気嚢は該膨脹手段の取付部と、該膨脹手段の流出口と導結される流入口と、脱気弁を備えていてもよい。
この場合、気嚢を水面に投下すれば、該膨脹手段は自重で水中に沈み、水センサーが起動して開封装置が作動し、該不動及び変位端子を接触させると共にカートリッジを開封するので、気嚢が膨らみ、同時に表示灯が点灯して気嚢の存在を表示する。
【００１１】
該穿針の端部は該本体に軸支された手動レバーの操作部の揺動通路上に臨出していてもよい。
この場合、カートリッジを取付けない状態で手動レバーを揺動すれば、不動及び変位端子同士を接触させられ、表示灯の点灯状態や、電源状態を観察できる。
【００１２】
【発明実施の形態】
図１は本発明にかかる水中自動作動表示灯スイッチの具体例であって未作動状態のものの側面図、図２は同じく作動状態の側面図である。
１は膨脹手段で、高圧ガスが充填されたカートリッジ２と、開封装置３を有している。この開封装置３は不動部４と、水センサー５の機能時、即ち水センサー５が吸水して変形し易くなった状態で、バネ６の弾発力により作動する変位部７があり、これらの不動部４と変位部７は各別に、変位発生時に互いに接触する不動端子Ｓ1と変位端子Ｓ2を備えている。そして、両端子Ｓ1とＳ2は電源８を備えた表示灯９の回路１０に介在している。
【００１３】
このカートリッジ２は開封装置３に取付けられる。この開封装置３は水に浸かると水センサー５がそれを感知し、開封装置３の変位部７がバネ６により変位を起こしてカートリッジ２を開封し、高圧ガスが噴出して流出口１１から救難胴衣、救難ブイ、オイルフェンス等のフロートやバッグの流入口１２に流れ込んでこれらを膨らませるようになっている。同時に両端子Ｓ1とＳ2が接触するので表示灯９の回路１０が形成され、電源８から電流が流れて表示灯９が点灯し、その位置表示をする。
【００１４】
図３は表示灯９の回路１０の具体例である。１３は導線、１４は抵抗、１５はレンズ付き透明キャップ、１６は防水ケースである。開封装置３が水中に没して水がこの開封装置３の常態を変化させると、不動部４と変位部７間に相対的な変位が発生し、両端子Ｓ1とＳ2が接触する。すると、電源８から表示灯９に電流が流れ、これが点灯する。
【００１５】
水センサー５は水分吸収材、例えば和紙、で構成され、水分の吸収により保形性を失ってバネ６の抑止を解くようになっている。水は開封装置３に設けられた通水孔１７から開封装置３内に浸入するようになっている。
こうすると、開封装置３を水面に投下すると自重で水中に没し、水が通水孔１７を通って開封装置３内に浸入するので、水センサー５が直ちに水分を吸収し、保形性を失って開封装置３がバネ６の作用により起動する。
【００１６】
不動部４は本体２１で、変位部７は、それぞれ本体２１内にあって、所定位置で往復動自在のカートリッジ開封用の穿針２２、枢軸２３で揺動自在に支持され一端で穿針２２と連繋されたレバー２４、通常はバネ６の付勢下に水センサー５で所定位置に抑止されこの水センサー５の機能時に移動してレバー２４を揺動させる押し棒２５から選ばれた一つとなっている。
こうすると、変位部７としては穿針２２、レバー２４、押し棒２５から選ぶことができ、不動及び変位の両端子Ｓ1とＳ2の設置の設計がし易い。また、水センサー５が保形性を失うとバネ６の力に抗し得ず押し棒２５の通過を許し、押し棒２５がレバー２４を揺動し、穿針２２を移動させてカートリッジ２を開封できる。両端子Ｓ1とＳ2同士も接触して、表示灯９を点灯する。
【００１７】
表示灯９は発光ダイオードである。
こうすると、電線切れが起こらないので交換が不要で、少ない電気量で発光させられるので限られた容量の電池でも長時間の点灯が可能となる。
【００１８】
レバー２４は他端に変位端子Ｓ2を備え、本体２１は変位端子Ｓ2の移動通路と直交する面上に不動端子Ｓ1を備えている。
こうすると、両端子Ｓ1とＳ2は対面状態となり、面間距離の変化で接触することになるので、確実な接触が可能となる。
【００１９】
押し棒２５は水センサー５の透孔２６と同一軸線上にあり、この透孔２６の内径より大きい大径部２７で透孔２６の通過を阻止されている。水センサー５は本体２１内の室２８に納められ、押し棒２５は自身のバネ受け２９と螺栓３０の間にバネ６を介装してこの室２８に装入される。そして、螺栓３０を本体２１に螺合することによりバネ６が圧縮され、押し棒２５は水センサー５に押し付けられた状態下におかれる。
こうすると、開封装置３の不使用時は水センサー５が押し棒２５を確実に所定位置に抑止してカートリッジ２の不慮の開封を防止し、供用時に水センサー５が変形した場合、透孔２６が押し棒２５の不完全ではあるがガイドになるので、押し棒２５が勝手な方向へ移動したりせず、両端子Ｓ1とＳ2の確実な接触を果す。
【００２０】
表示灯９、電源８及び膨脹手段１は気嚢３１用で、この気嚢３１は膨脹手段１の取付部３２と、膨脹手段１の流出口１１と導結される流入口１２と、脱気弁３３を備えている。
こうすると、気嚢３１を水面に投下すれば、膨脹手段１は自重で水中に沈み、水センサー５が起動して開封装置３が作動し、不動端子Ｓ1と変位端子Ｓ2を接触させると共にカートリッジ２を開封するので、気嚢３１が膨らみ、同時に表示灯９が点灯して気嚢３１の存在を表示する。
【００２１】
レバー２４は本体２１に軸３４で支持された手動レバー３５の操作部３６の揺動通路上に臨出している。
こうすると、カートリッジ２を取付けない状態で手動レバー３５を揺動すればレバー２４が揺動し、不動端子Ｓ1と変位端子Ｓ2同士が接触するので、表示灯９の点灯状態や、電源８の状態を観察できる。
【００２２】
なお、図面において、４１は手動レバー３５用のヤーンである。
【００２３】
【発明の効果】
本発明にかかる水中自動作動表示灯スイッチによれば、膨脹手段の開封装置は不動部と水センサーの機能時にバネで作動する変位部があり、該不動部と該変位部は各別に不動端子と変位端子を備えており、該両端子は電源を備えた表示灯回路に介在しているので、膨脹手段を水面に投下すると、水センサーが機能してカートリッジがバネの作用により開封し、高圧ガスが気嚢に流入してこれを膨らませ、同時に不動端子と変位端子が接触するので表示灯が点灯し、気嚢の存在位置表示することができ、漂流者や漂流物の存在を夜間は勿論、昼間でも顕示できる。
【００２４】
請求項２によれば、水センサーは水分吸収材で構成され、水分の吸収により保形性を失ってバネの抑止を解くようになっているので、開封装置を水面に投下すると水が開封装置内に浸入するので、水センサーが直ちに水分を吸収し、保形性を失って開封装置がバネの作用により起動し、表示灯回路も形成できる。
【００２５】
請求項３によれば、不動部は本体で、変位部は、それぞれ本体内にあって、所定位置で往復動自在のカートリッジ開封用の穿針、枢軸で揺動自在に支持され一端で穿針と連繋されたレバー、通常はバネの付勢下に水センサーで所定位置に抑止されこの水センサーの機能時に移動してレバーを揺動させる押し棒から選ばれた一つとなっているので、変位部としては穿針、レバー、押し棒から選ぶことができ、不動及び変位の両端子との設置の設計がし易い。また、水センサーが保形性を失うとバネの力に抗し得ず押し棒の通過を許し、押し棒がレバーを揺動し、穿針を移動させてカートリッジを開封でき、両端子とも接触して、表示灯を点灯する。
【００２６】
請求項４によれば、表示灯は発光ダイオードなので、電線切れが起こらず、交換が不要で、少ない電気量で発光させられるので限られた容量の電池でも長時間の点灯が可能となる。
【００２７】
請求項５によれば、レバーは他端に変位端子を備え、本体は変位端子の移動通路と直交する面上に不動端子を備えているので、両端子は対面状態となり、面間距離の変化で接触することになるので、確実な接触が可能となる。
【００２８】
請求項６によれば、押し棒は水センサーの透孔と同一軸線上にあり、この透孔の内径より大きい大径部で透孔の通過を阻止されているので、開封装置の不使用時は水センサーが押し棒を確実に所定位置に抑止してカートリッジの不慮の開封を防止し、供用時に水センサーが変形した場合、透孔が押し棒の不完全ではあるがガイドになるので、押し棒が勝手な方向へ移動したりせず、両端子の確実な接触を果せる。
【００２９】
請求項７によれば、表示灯、電源及び膨脹手段は気嚢用で、この気嚢は膨脹手段の取付部と、膨脹手段の流出口と導結される流入口と、脱気弁を備えているので、気嚢を水面に投下すれば水センサーが起動して開封装置が作動し、不動端子と変位端子を接触させると共にカートリッジを開封するので、気嚢が膨らみ、同時に表示灯が点灯して気嚢の存在を表示できる。
【００３０】
請求項８によれば、レバーは本体に軸で支持された手動レバーの操作部の揺動通路上に臨出しているので、カートリッジを取付けない状態で手動レバーを揺動すれば、不動端子と変位端子同士を接触させられ、表示灯の点灯状態や、電源の状態を観察できる。
【図面の簡単な説明】
【図１】本発明にかかる水中自動作動表示灯スイッチの具体例であって未作動状態のものを備えた膨脹手段の側面図である。
【図２】作動状態のものを備えた膨脹手段の側面図である。
【図３】表示灯回路を示す図である。
【図４】本発明にかかる水中自動作動表示灯スイッチの具体例を気嚢に配置した状態で示す側面図である。
【図５】図４の左側面図である。
【符号の説明】
１      膨脹手段
２      カートリッジ
３      開封装置
４      不動部
５      水センサー
６      バネ
７      変位部
Ｓ1     不動端子
Ｓ2     変位端子
８      電源
９      表示灯
１０    回路
１１    流出口
１２    流入口
１３    導線
１４    抵抗
１５    透明キャップ
１６    防水ケース
１７    通水孔
２１    本体
２２    穿針
２３    枢軸
２４    レバー
２５    押し棒
２６    透孔
２７    大径部
２８    室
２９    バネ受け
３０    螺栓
３１    気嚢
３２    取付部
３３    脱気弁
３４    軸
３５    手動レバー
３６    操作部
【図１】
2004203273.tif 000003
【図２】
2004203273.tif 000004
【図３】
2004203273.tif 000005
【図４】
2004203273.tif 000006
【図５】
2004203273.tif 000007